(57)【要約】【課題】配線基板の未実装部分を補う場合に部品点数が少なく、又作業性に優れ、冷却効果を損うことがない電子機器の筐体構造を提供するものである。【解決手段】複数の配線基板がガイドレール部に沿ってバックボードのコネクタに挿脱され実装される筐体に於いて、配線基板の未実装部分に装着されるブランクパネル２１を具備し、該ブランクパネルが配線基板と同形状の基板補充部２３と、該基板補充部の正面側に設けられ筐体正面に固定される正面パネル部２２と、前記基板補充部の背面側に設けられ前記コネクタを覆うコネクタカバー部２６を具備する。【選択図】        図１
2005050946.tif 000002
【特許請求の範囲】
【請求項１】
複数の配線基板がガイドレール部に沿ってバックボードのコネクタに挿脱され実装される筐体に於いて、配線基板の未実装部分に装着されるブランクパネルを具備し、該ブランクパネルが配線基板と同形状の基板補充部と、該基板補充部の正面側に設けられ筐体正面に固定される正面パネル部と、前記基板補充部の背面側に設けられ前記コネクタを覆うコネクタカバー部を具備することを特徴とする電子機器の筐体構造。
【請求項２】
前記基板補充部の上下に設けられ、前記ガイドレール部に嵌合しスライド可能なレール嵌合部を具備する請求項１の電子機器の筐体構造。
【請求項３】
前記レール嵌合部は前記基板補充部に対し配線基板相当の高さを有する請求項２の電子機器の筐体構造。
【発明の詳細な説明】
【０００１】
【発明の属する技術分野】
本発明は、複数の配線基板が実装される電子機器の筐体構造に於いて、未実装配線基板があった場合の対応が考慮された電子機器の筐体構造に関するものである。
【０００２】
【従来の技術】
無線基地等の電子機器では、ラックに複数の筐体が取付けられ、該筐体に配線基板が実装される。配線基板の実装は機能毎に或は保守性が考慮され、それぞれの筐体に複数の配線基板がコネクタを介して着脱可能に実装されており、又要求される機能に応じ筐体に実装される配線基板の数は必ずしも同一ではない。この為、筐体内部に配線基板の未実装部分が生じる場合がある。配線基板の未実装部分については、コネクタに埃が付着するのを防止する為、コネクタにコネクタカバー等が設けられていた。
【０００３】
先ず、図８〜図１１に於いて、電子機器の筐体１について説明する。
【０００４】
図中、筐体１が取付けられるラックについては図示を省略してある。
【０００５】
前記筐体１は図示しないラックの側面から該ラックに取付け可能となっている。前記筐体１は、右サイドパネル２、左サイドパネル３、及び前記右サイドパネル２、左サイドパネル３間に掛渡り設けられた正面パネル４、前記右サイドパネル２と左サイドパネル３間に掛渡り設けられた天井パネル６、底パネル７から構成され、前記右サイドパネル２には固定部２ａが形成され、該固定部２ａを介して前記筐体１が前記ラック（図示せず）にネジ止めされる。
【０００６】
前記正面パネル４には開口部８が設けられ、前記天井パネル６は前記開口部８の上端に位置し、前記底パネル７は前記開口部８の下端に位置し、前記天井パネル６、前記底パネル７には配線基板挿脱用のガイドレール部９が設けられ、又前記天井パネル６、前記底パネル７には通風孔１１が穿設されている。
【０００７】
前記天井パネル６、前記底パネル７の背面側にバックボード１２が前記天井パネル６と前記右サイドパネル２と前記左サイドパネル３と前記底パネル７間に掛渡って取付けられ、該バックボード１２には前記ガイドレール部９と対応した位置にコネクタ１３が実装されている。
【０００８】
図１２に示される様に、配線基板１４は、後端に前記コネクタ１３に嵌合するコネクタ１４ａが実装され、前端には基板固定板１５が取付けられている。又、該基板固定板１５には前記配線基板１４を着脱する際に使用される基板抜き差し用カードレバー１０が設けられている。
【０００９】
前記配線基板１４の実装は、前記ガイドレール部９に沿って前記配線基板１４を挿入し、前記コネクタ１３に嵌合させ、前記基板固定板１５を抜け止螺子１７等で前記筐体１に固定することでなされ、前記コネクタ１４ａと前記コネクタ１３が嵌合することで前記配線基板１４と前記バックボード１２とが電気的に接続する様になっている。
【００１０】
前記配線基板１４が実装されない部分については、配線基板が取付けられていない基板固定板１５が前記筐体１の前面に取付けられる。又、配線基板１４が実装されない位置の前記コネクタ１３が空き状態となり、放置しておくと埃が該コネクタ１３の接点に付着する可能性がある。この為、従来より空きのコネクタ１３についてコネクタカバーが設けられていた。
【００１１】
図１３、図１４によりコネクタカバー１８について説明する。
【００１２】
該コネクタカバー１８は合成樹脂製であり、前記コネクタ１３に外嵌可能な形状を有しており、該コネクタ１３に前記コネクタカバー１８を嵌合した状態では所要の保持力が発生する様になっている。又、該コネクタカバー１８は上面から突出する摘み１９を有しており、前記コネクタカバー１８の着脱は前記摘み１９を持って行える様になっている。
【００１３】
前記配線基板１４、特に電源部或は増幅回路を有する配線基板には発熱部品が実装されており、冷却を必要とし、前記筐体１内部はブロア（図示せず）により送風される冷却風が流通する様になっている。
【００１４】
冷却風は前記底パネル７の前記通風孔１１から流入し、前記配線基板１４，１４間を通って前記天井パネル６の通風孔１１から流出し、前記配線基板１４の発熱部品を冷却する。
【００１５】
尚、複数の配線基板が実装され、又配線基板の空き部分にブランクが設けられる電子機器の構造としては特許文献１に示されるものがある。
【００１６】
【特許文献１】
特開２００２−３７４０８２号公報
【００１７】
【発明が解決しようとする課題】
上記した従来の電子機器の筐体構造で、前記配線基板１４の空きが生じた場合は、前記コネクタ１３への前記コネクタカバー１８の取付け、前記筐体１前面の空き部分への前記基板固定板１５の取付けと、２つの部品の取付け作業が生じる。従って、部品が複数必要となると共に着脱作業が繁雑となる。更に、空きの前記コネクタ１３が前記配線基板１４と配線基板１４の間にあった場合は、前記コネクタカバー１８の着脱作業のスペースを確保する為、隣接する前記配線基板１４を取外さなければならない等作業性が悪かった。
【００１８】
又、該配線基板１４に対する冷却風の流れを見ると、該配線基板１４がない部分は大きな空間ができ、流路抵抗が小さくなるので、冷却風は該配線基板１４が実装されている部分には流れず、多くは該配線基板１４のない部分を流れることになり、発熱部品を充分に冷却することができないという虞れがあった。
【００１９】
本発明は斯かる実情に鑑み、配線基板の欠如部分を補う場合に部品点数が少なく、又作業性に優れ、更に配線基板の欠如部分があった場合でも冷却効果を損うことがない電子機器の筐体構造を提供するものである。
【００２０】
【課題を解決するための手段】
本発明は、複数の配線基板がガイドレール部に沿ってバックボードのコネクタに挿脱され実装される筐体に於いて、配線基板の未実装部分に装着されるブランクパネルを具備し、該ブランクパネルが配線基板と同形状の基板補充部と、該基板補充部の正面側に設けられ筐体正面に固定される正面パネル部と、前記基板補充部の背面側に設けられ前記コネクタを覆うコネクタカバー部を具備する電子機器の筐体構造に係り、又前記基板補充部の上下に設けられ、前記ガイドレール部に嵌合しスライド可能なレール嵌合部を具備する電子機器の筐体構造に係り、更に又前記レール嵌合部は前記基板補充部に対し配線基板相当の高さを有する電子機器の筐体構造に係るものである。
【００２１】
【発明の実施の形態】
以下、図面を参照しつつ本発明の実施の形態を説明する。
【００２２】
尚、筐体自体の基本的な構造については、図８で示した筐体１と同等であるので、図８を参照し詳細については説明を省略する。
【００２３】
図１は配線基板の空き部分に実装されるブランクパネル２１を示している。
【００２４】
該ブランクパネル２１は正面に図１２で示した基板固定板１５と同形状の正面パネル部２２、基板補充部２３、該基板補充部２３の上下に形成された上レール嵌合部２４、下レール嵌合部２５、前記基板補充部２３の背面側に設けられたコネクタカバー部２６を有している。前記正面パネル部２２には前記ブランクパネル２１を引抜く際に使用される摘み１６が形成されている。
【００２５】
前記正面パネル部２２は前記基板補充部２３の正面部分を直角に折曲げ成形したものであり、前記正面パネル部２２の上端部は前記上レール嵌合部２４より上方に延出しパネル固定部２２ａを形成し、該パネル固定部２２ａには抜け止螺子１７等のパネル固着具が取付け可能となっている。前記正面パネル部２２の下端部は下レール嵌合部２５より更に下方に延出し筐体接触部２２ｂを形成している。又、前記正面パネル部２２の上部には小片部分が正面側に折曲げ成形された摘み１６が形成されている。
【００２６】
前記基板補充部２３の上端部がクランク状に折曲げられ、該基板補充部２３と平行な前記上レール嵌合部２４が形成され、該上レール嵌合部２４の上端部は図６、図８で示される上部のガイドレール部９に摺動自在に嵌合可能である。前記基板補充部２３の下端部が前記上レール嵌合部２４とは対称的にクランク状に折曲げられ、前記基板補充部２３と平行な前記下レール嵌合部２５が形成され、該下レール嵌合部２５の下端部は図６、図８で示される下部のガイドレール部９に摺動自在に嵌合可能である。
【００２７】
前記基板補充部２３の背面側の中央部２３ａが、上下所要部分を残して前記正面パネル部２２と同方向に直角に折曲げられ、前記コネクタカバー部２６が形成される。前記上下所要部分に掛渡り、又前記中央部２３ａに当接する様に、コネクタカバー２７が固着される。
【００２８】
該コネクタカバー２７は断面がコの字状であり、幅は前記正面パネル部２２と同一か又は若干狭くなっている。前記コネクタカバー２７には前記コネクタ１３と干渉する部分が切除され、コネクタ逃げ部２８が形成されている。
【００２９】
以下、作用について説明する。
【００３０】
配線基板未実装部分に前記ブランクパネル２１を装着する。
【００３１】
装着は、前記上レール嵌合部２４、下レール嵌合部２５を前記ガイドレール部９に嵌合させ、前記上レール嵌合部２４、下レール嵌合部２５をスライドさせながら挿入する。前記正面パネル部２２が前記筐体１の正面に当接した状態で前記抜け止螺子１７で前記正面パネル部２２を固定する。
【００３２】
前記ブランクパネル２１が装着された状態では、前記正面パネル部２２が配線基板の未実装部分を閉塞すると共に前記コネクタカバー２７が複数のコネクタ１３を同時に覆っており、前記基板補充部２３は配線基板の未実装部分の空間を仕切っている。前記コネクタカバー２７と前記コネクタ１３との位置関係は、前記上レール嵌合部２４、下レール嵌合部２５が前記ガイドレール部９と嵌合することで、一義的に決定されるので、前記ブランクパネル２１挿入時に前記コネクタカバー２７と前記コネクタ１３との位置合せ作業は必要ない。従って、前記ブランクパネル２１の装着作業は、該ブランクパネル２１を挿入し、前記抜け止螺子１７で前記正面パネル部２２を前記筐体１の正面に固定するだけでよい。
【００３３】
前記正面パネル部２２が配線基板の未実装部分を閉塞するので、冷却風の漏れがない。又、前記筐体１内部が前記配線基板１４或は前記ブランクパネル２１により仕切られ、更に前記上レール嵌合部２４、前記下レール嵌合部２５が通風路を一部塞ぐことになり、前記筐体１内部に略均等な流路が形成され、前記配線基板１４間を冷却風が均等に流れて発熱部品等の発熱体を効果的に冷却する。
【００３４】
前記コネクタ１３は前記コネクタカバー２７で覆われるので、前記コネクタ１３への埃の付着が防止される。
【００３５】
前記ブランクパネル２１を取外す場合は、前記抜け止螺子１７を弛め、前記摘み１６を摘んで引出せばよい。
【００３６】
尚、上記実施の形態に於いて、前記コネクタカバー部２６を形成せず、上下所要部分を残して単に切除し、上下所要部分に掛渡ってコネクタカバー２７を固着してもよい。
【００３７】
図３〜図５は、本発明の第２の実施の形態に係るブランクパネル２９を示しており、図３〜図５中、図１中で示したものと同等のものには同符号を付してある。
【００３８】
上記第１の実施の形態と同様、基板補充部２３の正面側には正面パネル部２２が形成され、前記基板補充部２３の上側には上レール嵌合部２４、前記基板補充部２３の下側には下レール嵌合部２５がそれぞれ形成されている。
【００３９】
又、前記基板補充部２３の背面側にはコネクタカバー部３０が形成される。
【００４０】
前記基板補充部２３の背面側の前記コネクタ１３対応部分が、前記上レール嵌合部２４、下レール嵌合部２５と平行に抜き折曲げられ複数（コネクタ１３の数だけ）のコネクタ嵌合部３１が形成され、前記上レール嵌合部２４と前記下レール嵌合部２５との間に掛渡りカバープレート３２が固着される。該カバープレート３２は断面Ｌ状であり、前記コネクタ嵌合部３１の正面側開口部を閉塞する様になっている。前記カバープレート３２及び前記コネクタ嵌合部３１により前記コネクタカバー部３０が構成される。
【００４１】
前記ブランクパネル２９を装着する場合は、前記ブランクパネル２１を装着する場合と同様であり、前記ブランクパネル２９を装着した状態では、前記コネクタ嵌合部３１にコネクタ１３が嵌合し、該コネクタ１３が前記カバープレート３２によって閉塞される。
【００４２】
前記ブランクパネル２９を装着することで、筐体１内に通風流路が略均等に形成され、発熱部品が効果的に冷却されると共に前記コネクタ１３への埃の付着が防止される。
【００４３】
尚、上記実施の形態に於いて、正面パネル部２２、上レール嵌合部２４、下レール嵌合部２５等は別部品とし、前記基板補充部２３に一体に固定してもよい。
【００４４】
【発明の効果】
以上述べた如く本発明によれば、複数の配線基板がガイドレール部に沿ってバックボードのコネクタに挿脱され実装される筐体に於いて、配線基板の未実装部分に装着されるブランクパネルを具備し、該ブランクパネルが配線基板と同形状の基板補充部と、該基板補充部の正面側に設けられ筐体正面に固定される正面パネル部と、前記基板補充部の背面側に設けられ前記コネクタを覆うコネクタカバー部を具備するので、正面パネルの配線基板の未実装部分の空きの閉塞と、コネクタのカバーとを同一のブランクパネルにより同時に行え、部品点数が減少すると共に作業性が向上する。
【００４５】
又、本発明によれば、前記基板補充部の上下に設けられ、前記ガイドレール部に嵌合しスライド可能なレール嵌合部を具備するので、ガイドレールによりブランクパネルを挿脱するので、作業性が容易となると共にブランクパネルの位置決めが前記ガイドレール部により行われるので、ブランクパネル装着時のコネクタカバー等の位置合せが容易になる。
【００４６】
更に又、本発明によれば、前記レール嵌合部は前記基板補充部に対し配線基板相当の高さを有するので、前記基板補充部が配線基板の未実装部分の仕切の役割を果し、更に前記レール嵌合部が配線基板の実装状態と略同様な通風抵抗を奏すので、筐体内部で冷却風を効果的に基板間に流すことが可能となる等の優れた効果を発揮する。
【図面の簡単な説明】
【図１】本発明の第１の実施の形態を示す斜視図である。
【図２】図１のＡ−Ａ矢視図である。
【図３】本発明の第２の実施の形態を示す斜視図である。
【図４】図３のＢ−Ｂ矢視図である。
【図５】図３のＣ方向矢視図である。
【図６】従来の筐体の全体斜視図である。
【図７】該筐体の天井パネル、底パネル、バックボードのみを示した斜視図である。
【図８】該筐体の正面図である。
【図９】該筐体の右側面図である。
【図１０】該筐体の平面図である。
【図１１】該筐体の底面図である。
【図１２】該筐体に実装される配線基板の側面図である。
【図１３】従来のコネクタカバーの斜視図である。
【図１４】従来のコネクタカバーとコネクタとの関係を示す断面図である。
【符号の説明】
１          筐体
９          ガイドレール部
１２        バックボード
１３        コネクタ
２１        ブランクパネル
２２        正面パネル部
２４        上レール嵌合部
２５        下レール嵌合部
２６        コネクタカバー部
２７        コネクタカバー
２８        コネクタ逃げ部
２９        ブランクパネル
３０        コネクタカバー部
３１        コネクタ嵌合部
３２        カバープレート
【図１】
2005050946.tif 000003
【図２】
2005050946.tif 000004
【図３】
2005050946.tif 000005
【図４】
2005050946.tif 000006
【図５】
2005050946.tif 000007
【図６】
2005050946.tif 000008
【図７】
2005050946.tif 000009
【図８】
2005050946.tif 000010
【図９】
2005050946.tif 000011
【図１０】
2005050946.tif 000012
【図１１】
2005050946.tif 000013
【図１２】
2005050946.tif 000014
【図１３】
2005050946.tif 000015
【図１４】
2005050946.tif 000016